(57)【要約】【課題】  確実に位置を探知することができる被探知部材を提供する。【解決手段】  被探知部材３は、建物の壁１の裏側Ｐ１に配置されて、壁１の表側Ｐ２より配置位置が探知される部材である。この被探知部材３は、取着部５と、被探知部６と、コイルスプリングＳとからなる。ここで、取着部５は、壁１の裏側Ｐ１の配線ボックス２に取着される。被探知部６は、壁１の表側Ｐ２から探知されるべく、壁１の裏面１ａに当接可能な当接面６ａを有している。そして、取着部５には、ガイド部５ａが設けられ、被探知部６には、ガイド部５ａに案内される被ガイド部６ｂが設けられて、被探知部６は、その当接面６ａが壁１の裏面１ａに対して平行状態を維持したまま、壁１の裏面１ａに対してほぼ直交方向に移動可能となっている。また、コイルスプリングＳは、取着部５に対して被探知部６を壁１側に付勢する。【選択図】  図１
2008136351.tif 000002
【特許請求の範囲】
【請求項１】
建物の壁あるいは天井等の仕切り部の裏側に配置されて、前記仕切り部の表側より配置位置が探知される被探知部材であって、
前記仕切り部の裏側の配設物に取着される取着部と、
前記仕切り部の表側から探知されるべく、前記仕切り部の裏面に当接可能な当接面を有する被探知部と、
前記被探知部を前記仕切り部側に付勢する付勢手段と、を備え、
前記取着部には、ガイド部が設けられ、前記被探知部には、前記ガイド部に案内される被ガイド部が設けられて、前記被探知部は、前記当接面が前記仕切り部の裏面に対して平行状態を維持したまま、前記仕切り部の裏面に対してほぼ直交方向に移動可能となっていることを特徴とする被探知部材。
【請求項２】
前記付勢手段は、前記取着部に対して前記被探知部を前記仕切り部側に付勢するための、バネ等の弾性部材からなることを特徴とする請求項１に記載の被探知部材。
【請求項３】
前記仕切り部は天井からなり、前記付勢手段は、前記被探知部の自重によって構成されることを特徴とする請求項１に記載の被探知部材。
【請求項４】
前記ガイド部は、前記取着部側から、前記仕切り部側に向かう方向に延設されていることを特徴とする請求項１ないし３のいずれか１項に記載の被探知部材。
【請求項５】
前記取着部および前記被探知部は、筒状に形成されて、前記取着部の周面が前記ガイド部となり、前記被探知部の周面が前記被ガイド部となるよう、前記取着部と前記被探知部とが互いに嵌まり合っていることを特徴とする、請求項４に記載の被探知部材。
【請求項６】
前記取着部と、前記被探知部とは、互いに回り止めされることを特徴とする請求項５に記載の被探知部材。
【請求項７】
前記被探知部は、前記当接面が前記仕切り部の裏面に当接した際に、その当接面のほぼ全面が前記仕切り部の裏面に当接するように、前記取着部に対する角度が変化可能となっていることを特徴とする請求項１ないし６のいずれか１項に記載の被探知部材。
【請求項８】
建物の壁あるいは天井等の仕切り部の裏側に配設される配線ボックスと、その配線ボックスに設けられて、前記仕切り部の表側より配置位置が探知される被探知部材と、からなり、
前記被探知部材は、前記配線ボックスに取着される、または前記配線ボックスと一体となって形成される、取着部と、前記仕切り部の表側から探知されるべく、前記仕切り部の裏面に当接可能な当接面を有する被探知部と、前記被探知部を前記仕切り部側に付勢する付勢手段と、を備え、
前記取着部には、ガイド部が設けられ、前記被探知部には、前記ガイド部に案内される被ガイド部が設けられて、前記被探知部は、前記当接面が前記仕切り部の裏面に対して平行状態を維持したまま、前記仕切り部の裏面に対してほぼ直交方向に移動可能となっていることを特徴とする配線ボックス装置。
【発明の詳細な説明】
【技術分野】
【０００１】
この発明は、建物の壁あるいは天井等の仕切り部の裏側に配置されて、仕切り部の表側より配置位置が探知される、被探知部材および配線ボックス装置に関するものである。
【背景技術】
【０００２】
従来、例えば、建物の壁裏に配設された配線ボックスを、壁表から探すことができるよう、予め配線ボックス側には、壁表から検知される磁石が取り付けられていた。
【発明の開示】
【発明が解決しようとする課題】
【０００３】
しかし、前記従来の配線ボックスにあっては、その配線ボックスを配設する際に、後に設置される壁が配線ボックスと干渉しないように、配線ボックスを、壁裏側に少しずらした位置で配置していた。また、二重天井内に、配線ボックスを配設する場合であっても、その配線ボックスを、天井から離れた位置に配設していた。しかし、このように、壁や天井から、配線ボックスが離れると、壁や天井の表側から、配線ボックスの位置を探知する際に、その探知が困難、あるいは不正確となる虞があった。
【０００４】
この発明は、上記した従来の欠点を解決するためになされたものであり、その目的とするところは、確実に位置を探知することができる、被探知部材および配線ボックス装置を提供することにある。
【課題を解決するための手段】
【０００５】
この発明に係る被探知部材および配線ボックス装置は、前記目的を達成するために、次の構成からなる。すなわち、
請求項１に記載の発明に係る被探知部材は、建物の壁あるいは天井等の仕切り部の裏側に配置されて、前記仕切り部の表側より配置位置が探知される被探知部材である。この被探知部材は、前記仕切り部の裏側の配設物に取着される取着部と、前記仕切り部の表側から探知されるべく、前記仕切り部の裏面に当接可能な当接面を有する被探知部と、前記被探知部を前記仕切り部側に付勢する付勢手段と、を備える。そして、前記取着部には、ガイド部が設けられ、前記被探知部には、前記ガイド部に案内される被ガイド部が設けられて、前記被探知部は、前記当接面が前記仕切り部の裏面に対して平行状態を維持したまま、前記仕切り部の裏面に対してほぼ直交方向に移動可能となっている。
【０００６】
これにより、建物の壁あるいは天井等の仕切り部の裏側において、その仕切り部の表側より配置位置が探知される被探知部材は、取着部が配設物に取着されることで、その配設物に取り付けられる。そして、被探知部材における被探知部に設けられた被ガイド部が、取着部に設けられたガイド部に案内されて、この被探知部は、仕切り部の裏面に当接可能な当接面がその裏面に対して平行状態を維持したまま、その裏面に対してほぼ直交方向に移動可能となっている。したがって、この被探知部と、被探知部を仕切り部側に付勢する付勢手段によって、取着部の、仕切り部からの距離に拘わらず、被探知部の当接面を、仕切り部の裏面に対して平行となるようにして、その裏面に当接させることができる。
【０００７】
また、請求項２に記載の発明に係る被探知部材のように、請求項１に記載の被探知部材において、前記付勢手段は、前記取着部に対して前記被探知部を前記仕切り部側に付勢するための、バネ等の弾性部材からなってもよい。こうして、バネ等の弾性部材によって、被探知部は、仕切り部側に確実に付勢される。
【０００８】
また、請求項３に記載の発明に係る被探知部材のように、請求項１に記載の被探知部材において、前記仕切り部は天井からなり、前記付勢手段は、前記被探知部の自重によって構成されてもよい。このように、被探知部の自重を利用することで、被探知部は、仕切り部側に付勢される。
【０００９】
また、請求項４に記載の発明に係る被探知部材のように、請求項１ないし３のいずれか１項に記載の被探知部材において、前記ガイド部は、前記取着部側から、前記仕切り部側に向かう方向に延設されていてもよい。
【００１０】
また、請求項５に記載の発明に係る被探知部材のように、請求項４に記載の被探知部材において、前記取着部および前記被探知部は、筒状に形成されて、前記取着部の周面が前記ガイド部となり、前記被探知部の周面が前記被ガイド部となるよう、前記取着部と前記被探知部とが互いに嵌まり合ってもよい。こうして、被ガイド部となる、被探知部の周面が、ガイド部となる、取着部の周面に案内されて、この被探知部は、仕切り部の裏面に対してほぼ直交方向に移動することができる。
【００１１】
また、請求項６に記載の発明に係る被探知部材のように、請求項５に記載の被探知部材において、前記取着部と、前記被探知部とは、互いに回り止めされてもよい。
【００１２】
また、請求項７に記載の発明に係る被探知部材のように、請求項１ないし６のいずれか１項に記載の被探知部材において、前記被探知部は、前記当接面が前記仕切り部の裏面に当接した際に、その当接面のほぼ全面が前記仕切り部の裏面に当接するように、前記取着部に対する角度が変化可能となっているのが望ましい。こうして、被探知部は、取着部に対して角度が変化可能となっていることから、配設物に取着された取着部が傾いている場合であっても、被探知部の当接面のほぼ全面を仕切り部の裏面に当接させることができる。
【００１３】
また、請求項８に記載の発明に係る配線ボックス装置は、建物の壁あるいは天井等の仕切り部の裏側に配設される配線ボックスと、その配線ボックスに設けられて、前記仕切り部の表側より配置位置が探知される被探知部材と、からなる。ここで、前記被探知部材は、前記配線ボックスに取着される、または前記配線ボックスと一体となって形成される、取着部と、前記仕切り部の表側から探知されるべく、前記仕切り部の裏面に当接可能な当接面を有する被探知部と、前記被探知部を前記仕切り部側に付勢する付勢手段と、を備える。そして、前記取着部には、ガイド部が設けられ、前記被探知部には、前記ガイド部に案内される被ガイド部が設けられて、前記被探知部は、前記当接面が前記仕切り部の裏面に対して平行状態を維持したまま、前記仕切り部の裏面に対してほぼ直交方向に移動可能となっている。
【００１４】
こうして、建物の壁あるいは天井等の仕切り部の裏側に配設される配線ボックスには、仕切り部の表側より配置位置が探知される被探知部材が設けられている。そして、被探知部材における被探知部に設けられた被ガイド部が、取着部に設けられたガイド部に案内されて、この被探知部は、仕切り部の裏面に当接可能な当接面がその裏面に対して平行状態を維持したまま、その裏面に対してほぼ直交方向に移動可能となっている。したがって、この被探知部と、被探知部を仕切り部側に付勢する付勢手段によって、配線ボックスの、仕切り部からの距離に拘わらず、被探知部の当接面を、仕切り部の裏面に対して平行となるようにして、その裏面に当接させることができる。
【発明の効果】
【００１５】
この発明に係る被探知部材および配線ボックス装置によれば、次の効果がある。
【００１６】
請求項１、および４〜６に記載された被探知部材によれば、取着部の、仕切り部からの距離に拘わらず、被探知部の当接面を、仕切り部の裏面に対して平行となるようにして、その裏面に当接させる、すなわち当接面のほぼ全面を裏面に当接させることができるので、仕切り部の表側から、確実に被探知部材の位置を探知することができる。また、このとき、被探知部に設けられた被ガイド部が、取着部に設けられたガイド部に案内されるので、この被探知部を、仕切り部の裏面に対してほぼ直交方向に確実に移動させることができる。
【００１７】
また、請求項２に記載された被探知部材によれば、請求項１の効果に加えて、バネ等の弾性部材によって、被探知部を、仕切り部側に確実に付勢することができる。
【００１８】
また、請求項３に記載された被探知部材によれば、請求項１の効果に加えて、被探知部の自重が、その被探知部を仕切り部側に付勢する付勢手段となることから、別途付勢手段を設ける必要がない。
【００１９】
また、請求項７に記載された被探知部材によれば、請求項１ないし６のいずれか１項の効果に加えて、被探知部は、角度が変化可能となっていることから、配設物に取着された取着部が傾いている場合であっても、被探知部の当接面のほぼ全面を仕切り部の裏面に当接させることができ、仕切り部の表側から、確実に被探知部材の位置を探知することができる。
【００２０】
また、請求項８に記載された配線ボックス装置によれば、配線ボックスの、仕切り部からの距離に拘わらず、被探知部の当接面を、仕切り部の裏面に対して平行となるようにして、その裏面に当接させる、すなわち当接面のほぼ全面を裏面に当接させることができるので、仕切り部の表側から、確実に、被探知部材、つまりは配線ボックスの位置を探知することができる。また、このとき、被探知部に設けられた被ガイド部が、取着部に設けられたガイド部に案内されるので、この被探知部を、仕切り部の裏面に対してほぼ直交方向に確実に移動させることができる。
【発明を実施するための最良の形態】
【００２１】
以下、この発明に係る被探知部材および配線ボックス装置を実施するための最良の形態を図面に基づいて説明する。
【００２２】
図１ないし図６は、本発明に係る被探知部材および配線ボックス装置の第一の実施の形態を示す。図中符号１は、建物の仕切り部としての壁である。２は、前記壁１の裏側Ｐ１に配設される配設物としての配線ボックスである。３は、前記壁１の裏側Ｐ１に配置されて、壁１の表側Ｐ２より配置位置が探知される被探知部材３であって、図示実施の形態においては、前記配線ボックス２に設けられる。４は、配線ボックス装置であって、前記配線ボックス２と前記被探知部材３とからなる。
【００２３】
ここで、配線ボックス２は、壁１の裏側Ｐ１の、例えば柱Ｈに、ビス等の固着具Ｋによって固定される。被探知部材３は、前記配線ボックス２に取着される取着部５と、前記壁１の表側Ｐ２から探知されるべく、その壁１の裏面１ａに当接可能な当接面６ａを有する被探知部６と、その被探知部６を壁１側に付勢する付勢手段７と、を備えている。そして、被探知部６は、その当接面６ａが壁１の裏面１ａに対して平行状態を維持したまま、壁１の裏面１ａに対してほぼ直交方向に移動可能となっている。詳細には、取着部５には、被探知部６を壁１の裏面１ａに対してほぼ直交方向に移動させるべく、ガイド部５ａが設けられている。そして、このガイド部５ａは、取着部５側から壁１側に向かう方向に延設されている。一方、被探知部６には、前記ガイド部５ａに案内される被ガイド部６ｂが設けられている。また、付勢手段７は、取着部５に対して被探知部６を壁１側に付勢するための、バネ等の弾性部材としてのコイルスプリングＳからなる。
【００２４】
具体的には、配線ボックス２は、図１あるいは図２に示すように、前方、すなわち壁１側が開口した箱形形状をしている。そして、配線ボックス２には、被探知部材３の取着部５が取着される被取着部２ａが設けられている。詳細には、この被取着部２ａは、配線ボックス２の、壁１と対向する面となる底面２ｂに設けられる。そして、この被取着部２ａに、第１係合部としての第１係合爪２ｃ、２ｃが形成されている。
【００２５】
被探知部材３は、図３ないし図６に示すように、その取着部５および被探知部６が、筒状に形成されている。そして、取着部５の周面（詳細には外周面）が前記ガイド部５ａとなり、被探知部６の周面（詳細には内周面）が前記被ガイド部６ｂとなるよう、これら取着部５と被探知部６とが互いに嵌まり合っている。
【００２６】
取着部５は、その取着部５の一方端となる後端部（壁１から離れた側の端部）に、第２係合部としての第２係合爪５ｂ、５ｂが形成されている。そこで、この第２係合爪５ｂが、配線ボックス２における第１係合爪２ｃと係合することで、取着部５は、配線ボックス２（詳細には被取着部２ａ）に取着される。そして、この取着によって、取着部５は、配線ボックス２の底面２ｂから壁１側に向かって突設するように設けられる。また、取着部５には、その後側の内周面に、雌ねじ５ｃが螺設されており、そして、前側には、前記コイルスプリングＳの一端側を受ける第１受け座５ｄが形成されている。また、取着部５の外周面には、その前端部分に、第１抜止め突部５ｅ、５ｅが形成されている。そして、取着部５の外周面には、長手方向に延設されるとともに前記第１抜止め突部５ｅ、５ｅに達するように、第１凹条５ｆ、５ｆが形成され、さらに、その第１凹条５ｆと同様に長手方向に延設される凸条５ｇ、５ｇが形成されている。
【００２７】
一方、被探知部６は、その内部は、後側が、前記取着部５が挿入されるとともに前記コイルスプリングＳが収容される取着部挿入部６ｃとなっており、また、前側が、被検知材としてのマグネット６ｄが収容される収容部６ｅとなっている。そして、この収容部６ｅには、マグネット６ｄが抜け出ないようにそのマグネット６ｄを掛止めする掛止片６ｆ、６ｆが設けられている。また、この被探知部６の内部には、前記取着部挿入部６ｃと収容部６ｅとを隔てるようにして、スプリングＳの他端側を受ける第２受け座６ｇが形成されている。こうして、コイルスプリングＳは、第１受け座５ｄと第２受け座６ｇとの間に配備されて、取着部５に対して被探知部６を壁１側に付勢することとなる。なお、この被探知部６の前端には、鍔６ｈが形成されており、この鍔６ｈの前面が、被探知部６の前端面、つまりは、壁１の裏面１ａに当接可能な前記当接面６ａとなっている。
【００２８】
また、取着部挿入部６ｃの周面には、その口元部分（すなわち、被探知部６の後端部分）に、取着部５の第１抜止め突部５ｅ、５ｅと対向するように第２抜止め突部６ｉ、６ｉが形成されている。こうして、この被探知部６が、取着部５に対して前方に進んだときに、第１抜止め突部５ｅと第２抜止め突部６ｉとが当接することで、取着部５対して被探知部６は抜止めされる。また、取着部挿入部６ｃの周面には、長手方向に延設されるとともに前記第２抜止め突部６ｉ、６ｉに達するように、第２凹条６ｊ、６ｊが形成され、さらに、その第２凹条６ｊと同様に長手方向に延設される凹条６ｋ、６ｋが形成されている。そして、第１抜止め突部５ｅが、第２凹条６ｊに嵌まり、第２抜止め突部６ｉが、第１凹条５ｆに嵌まることで、取着部５と被探知部６とは、互いに回り止めされる。さらに、取着部５の凸条５ｇが、被探知部６の凹条６ｋに嵌まることによっても、取着部５と被探知部６とが、互いに回り止めされるようになっている。
【００２９】
また、被探知部６は、図２に示すように、その当接面６ａが壁１の裏面１ａに当接した際に、その当接面６ａのほぼ全面が壁１の裏面１ａに当接するように、取着部５に対して、角度が変化可能となっている。すなわち、図示実施の形態においては、取着部５と被探知部６とが、がたつきを持って嵌合するようになっており、このがたつきにより、被探知部６は、取着部５に対する角度を変化させることができる。
【００３０】
次に、以上の構成からなる被探知部材３および配線ボックス装置４の作用効果について説明する。被探知部材３は、取着部５が配線ボックス２（詳細には被取着部２ａ）に取着されることで、その配線ボックス２に取り付けられている。そして、被探知部材３における被探知部６は、その当接面６ａが壁１の裏面１ａに対して平行状態を維持したまま、その裏面１ａに対してほぼ直交方向に移動可能となっている。したがって、被探知部６と、この被探知部６を壁１側に付勢する付勢手段７としてのコイルスプリングＳによって、取着部５の、壁１からの距離に拘わらず、被探知部６の当接面６ａを、壁１の裏面１ａに対して平行となるようにして、その裏面１ａに当接させることができる。こうして、当接面６ａのほぼ全面を壁１の裏面１ａに当接させることができるので、壁１の表側Ｐ２から、被探知部材３における被検知材としてのマグネット６ｄを確かな精度で検知することができ、確実に、被探知部材３、つまりは配線ボックス２の位置を探知することができる。
【００３１】
しかも、被探知部６は、角度が変化可能となっていることから、図２に示すように、配線ボックス２に取着された取着部５が傾いている場合であっても、被探知部６の当接面６ａのほぼ全面を壁１の裏面１ａに当接させることができ、確実に、被探知部材３、つまりは配線ボックス２の位置を探知することができる。なお、図２においては、配線ボックス２が、柱Ｈに傾いて取り付けられ、その結果として、取着部５が傾いている。
【００３２】
そして、被探知部６を壁１側に付勢するにあたっては、弾性部材であるコイルスプリングＳによって、被探知部６は、壁１側に確実に付勢される。このとき、被探知部６における被ガイド部６ｂとなる内周面が、取着部５におけるガイド部５ａとなる外周面に案内されるので、この被探知部６を、壁１の裏面１ａに対してほぼ直交方向に確実に移動させることができる。
【００３３】
図７は、本発明に係る被探知部材および配線ボックス装置の第二の実施の形態を示す。この第二の実施の形態は、第一の実施の形態と比較すると、仕切り部が、二重天井における下側の天井１１からなり、配線ボックス２および被探知部材３が吊りボルトＴに取り付けられ、そして、配線ボックス２の構造が異なり、被探知部材３における付勢手段７が異なるが、他はほぼ同一であり、以下に異なる部分を主に説明する。
【００３４】
配設物としての吊りボルトＴは、仕切り部としての、二重天井における下側の天井１１の、裏側Ｐ１に配設されている。詳細には、この吊りボルトＴは、二重天井における上側の天井１２から垂下されている。なお、図中符号１３は、天井１２に埋設されたボルト固定具であり、このボルト固定具１３に吊りボルトＴが螺合している。
【００３５】
配線ボックス２は、吊りボルトＴに固定可能な固定部２ｄを有している。この配線ボックス２は、下方、すなわち天井１１側が開口した箱形形状をしている。ここで、配線ボックス２の固定部２ｄは、この配線ボックス２の、天井１１と対向する底壁２ｅにインサートされたナットＮからなる。そして、このナットＮが吊りボルトＴに螺合することで、配線ボックス２は、吊りボルトＴに取り付けられる。
【００３６】
被探知部材３は、その取着部５が、吊りボルトＴに螺合可能となっている。すなわち、取着部５における雌ねじ５ｃが、吊りボルトＴに螺合する。こうして、取着部５は、配設物としての吊りボルトＴに取着されて、この被探知部材３は、吊りボルトＴに取り付けられる。そして、この被探知部材３には、コイルスプリングＳは設けられておらず、被探知部６を、仕切り部としての天井１１側に付勢する付勢手段７は、被探知部６の自重によって構成されている。
【００３７】
そして、配線ボックス装置４は、前記配線ボックス２と被探知部材３とからなっている。この被探知部材３および配線ボックス装置４の作用効果は、第一の実施の形態とは、付勢手段７の機能が異なるが、他は同様である。
【００３８】
なお、本発明は、上述した実施の形態に限定されるわけではなく、その他種々の変更が可能である。例えば、仕切り部は、壁１や天井１１でなくとも、床等であってもよい。また、第一の実施の形態において、壁１は、建物の内外を仕切る外壁であってもよく、部屋と部屋とを仕切る間仕切壁であってもよい。
【００３９】
また、被探知部材３において、取着部５の外周面がガイド部５ａとなり、被探知部６の内周面が被ガイド部６ｂとなるよう、これら取着部５と被探知部６とが互いに嵌まり合っているが、互いの嵌まり合いを逆にすることで、取着部５の内周面がガイド部となり、被探知部６の外周面が被ガイド部となるようにしてもよい。また、弾性部材としてのコイルスプリングＳは、被探知部６側に収容されているが、取着部５側に収容されてもよい。
【００４０】
また、ガイド部５ａと被ガイド部６ｂとは、取着部５と被探知部６との周面からならなくとも、例えば、取着部５から延設されたガイド片と、被探知部６に設けられて前記ガイド片に係合する被ガイド孔あるいは被ガイド溝とからなっていてもよく、また、取着部５に設けられたガイド孔あるいはガイド溝と、被探知部６から延設されて前記ガイド孔あるいはガイド溝に係合する被ガイド片とからなっていてもよい。
【００４１】
また、取着部５にはガイド部５ａが設けられ、被探知部６には、被ガイド部６ｂが設けられているが、参考例として、被探知部６を、壁１の裏面１ａや天井１１の裏面１１ａに対してほぼ直交方向に移動させることができるのであれば、例えば、取着部５と被探知部６とが、付勢手段７としての弾性部材によって連結される等により、明白なガイド部５ａおよび被ガイド部６ｂは設けられなくともよい。
【００４２】
また、第一の実施の形態において、被探知部材３における取着部５は、配設物としての配線ボックス２に取着されるが、配線ボックス２に取着されることなく、配線ボックス２と一体となって形成されてもよい。
【００４３】
また、第二の実施の形態において、被探知部材３には、弾性部材としてのコイルスプリングＳが設けられていないが、このコイルスプリングＳを設けることで、付勢手段７が、このコイルスプリングＳと、被探知部６の自重とによって構成されてもよい。
【図面の簡単な説明】
【００４４】
【図１】この発明に係る被探知部材および配線ボックス装置の第一の実施の形態の、断面図である。
【図２】同じく、取着部が傾いている場合の、断面図である。
【図３】同じく、被探知部材を上から見た分解斜視図である。
【図４】同じく、被探知部材を下から見た分解斜視図である。
【図５】同じく、被探知部材の、コイルスプリングが伸びた状態の断面図である。
【図６】同じく、被探知部材の、コイルスプリングが縮んだ状態の断面図である。
【図７】この発明に係る被探知部材および配線ボックス装置の第二の実施の形態の、断面図である。
【符号の説明】
【００４５】
１  壁（仕切り部）                １ａ  裏面
２  配線ボックス（配設物）        ２ｄ  固定部
３  被探知部材                    ４  配線ボックス装置
５  取着部                        ５ａ  ガイド部
６  被探知部                      ６ａ  当接面
６ｂ  被ガイド部                  ７  付勢手段
１１  天井（仕切り部）            １１ａ  裏面
Ｐ１  裏側                        Ｐ２  表側
Ｓ  コイルスプリング（弾性部材、付勢手段）
Ｔ  吊りボルト（配設物）
【図１】
2008136351.tif 000003
【図２】
2008136351.tif 000004
【図３】
2008136351.tif 000005
【図４】
2008136351.tif 000006
【図５】
2008136351.tif 000007
【図６】
2008136351.tif 000008
【図７】
2008136351.tif 000009